(57)【要約】      （修正有）【課題】土のう袋の着脱が容易であって、土のう袋を確実に装着することのできる土のう作成具を提供する。【解決手段】土のう袋８０の開口部を保持する保持枠１０と、台座部２０と、保持枠１０を台座部２０上に立設支持する支持部材３０とを備える。保持枠１０は、支持部材３０に固着した固定保持枠１５と、固定保持枠１５の上部両端に回動可能に軸支された回動保持枠１１とからなり、回動保持枠１１の一端から下方に延出した作動片１１ｂの端部に、台座部２０上に揺動可能に軸支された操作ペダル６０に連結した作動棒４０が上下動可能に軸支される。作動棒４０を下方に引っ張る付勢手段５０により、操作ペダル踏込時には、回動保持枠１１が固定保持枠１５に対して後方に回動して折れ曲がり、操作ペダル復帰時には、回動保持枠１１が固定保持枠１５に対して前方に回動して直立し、略矩形状の保持枠を形成する。【選択図】図１
0003178222.tif 000002
【実用新案登録請求の範囲】
【請求項１】
土のう袋の開口部を保持する保持枠と、台座部と、該保持枠を該台座部上に立設支持する支持部材とを備えた土のう作成具であって、
前記保持枠は、前記支持部材に固着した固定保持枠と、該固定保持枠の上部両端に回動可能に軸支された回動保持枠とからなり、
前記回動保持枠の一端から下方に延出した作動片の端部に、前記台座部上に揺動可能に軸支された操作ペダルに連結した作動棒が上下動可能に軸支され、
前記作動棒を下方に引っ張る付勢手段により、操作ペダル踏込時には、前記回動保持枠が前記固定保持枠に対して後方に回動して折れ曲がり、操作ペダル復帰時には、該回動保持枠が該固定保持枠に対して前方に回動して直立し、略矩形状の前記保持枠を形成することを特徴とする土のう作成具。
【請求項２】
前記保持枠周囲前面には複数の突起部が形成されている請求項１に記載の土のう作成具。
【請求項３】
前記操作ペダル復帰時における前記保持枠の接地面に対する角度は側面視で７０〜８０度である請求項１又は２に記載の土のう作成具。
【請求項４】
前記台座部が、前側台座部と、該前側台座部の後端部に回動軸支された接続棒に連結固着した後側台座部とからなり、該後側台座部下部に固着した鉤部に、前記支持部材間に架設した横棒に回動自在に連結した可動支持部材の先端を着脱自在に係止した請求項１乃至３のうちのいずれか１項に記載の土のう作成具。
【考案の詳細な説明】
【技術分野】
【０００１】
本考案は、土のう作成具に関する。更に詳しくは、土のう袋の着脱が容易であって、土のう袋を確実に装着することのできる土のう作成具に関する。
【背景技術】
【０００２】
従来、災害現場などで行う土のう作りは、通常、二人一組で行う。すなわち、一人が土のう袋の開口部を広げて持ち、もう一人が土砂をスコップなどで掬って、土のう袋に投入することにより行う。
そのため、災害現場においては、人手不足に加え、二人一組での作業は更に人手を要することになる。
【０００３】
ここで、一人で土のう作りを行うことができる土のう製造機が提案されている（例えば、特許文献１参照。）。
この土のう製造機は、ローラーコンベアを取り付けた基台に、前面側を除いて上端を湾曲させた４本の金属製支柱が環状に立設され、この支柱の上部側に、前面が開放した平面略Ｃ字形に形成された上部枠が接合されている。
この土のう作成具は、各支柱の内側の袋保持枠に土のう袋を挿入して、その開口部を、平面略Ｃ字形に形成された上部枠に折返して係止させる。この状態で、スコップで土砂を土のう袋の開口部から投入していく。
【０００４】
この土のう作成具は、土のう袋の開口部を広げた状態で固定できるため、一人で土砂を投入して土のう作りを行うことができる。
【先行技術文献】
【特許文献】
【０００５】
【特許文献１】実登３１３８９２９号公報
【考案の概要】
【考案が解決しようとする課題】
【０００６】
しかし、土のう袋の装着に際しては、袋挿入部に土のう袋を挿入して、土のう袋をその開口部を上部枠に沿って折り返して係止させる必要がある。
このため、装着にやや手間取ることになる。また、折り返して係止しているため、確実に装着されているとはいえない。
本考案は、前記の課題を解決するものであって、土のう袋の着脱が容易であって、土のう袋を確実に装着することのできる土のう作成具を提供することを目的とする。
【課題を解決するための手段】
【０００７】
前記課題を解決するための本考案は、以下の通りである。
（１）土のう袋の開口部を保持する保持枠と、台座部と、該保持枠を該台座部上に立設支持する支持部材とを備えた土のう作成具であって、
前記保持枠は、前記支持部材に固着した固定保持枠と、該固定保持枠の上部両端に回動可能に軸支された回動保持枠とからなり、
前記回動保持枠の一端から下方に延出した作動片の端部に、前記台座部上に揺動可能に軸支された操作ペダルに連結した作動棒が上下動可能に軸支され、
前記作動棒を下方に引っ張る付勢手段により、操作ペダル踏込時には、前記回動保持枠が前記固定保持枠に対して後方に回動して折れ曲がり、操作ペダル復帰時には、該回動保持枠が該固定保持枠に対して前方に回動して直立し、略矩形状の保持枠を形成することを特徴とする土のう作成具。
（２）前記保持枠周囲前面には複数の突起部が形成されている（１）に記載の土のう作成具。
（３）前記操作ペダル復帰時における前記保持枠の接地面に対する角度は側面視で７０〜８０度である（１）又は（２）に記載の土のう作成具。
（４）前記台座部は、前側台座部と、該前側台座部の後端部に回動軸支された後側台座部とからなり、該後側台座部下部に固着した鉤部に、前記支持部材間に架設した横棒に回動自在に連結した可動支持部材の先端を着脱自在に係止した（１）乃至（３）のうちのいずれか１項に記載の土のう作成具。
【考案の効果】
【０００８】
（１）請求項１に記載の土のう作成具に係る考案は、操作ペダル踏込時には、回動保持枠が固定保持枠に対して後方に回動して折れ曲がる。こうすることで、回動保持枠の上端部と、固定保持枠の下端部との間隔が狭まり、容易に土のう袋の開口部を保持枠に着脱することができる。更に、操作ペダル復帰時には、付勢手段により回動保持枠が固定保持枠に対して前方に回動して直立して略矩形状の保持枠を形成するため、土のう袋の開口部が保持枠に対して張架されるため、確実に土のう袋の開口部を保持枠に装着することができる。
（２）請求項２に記載の土のう作成具に係る考案は、更に保持枠周囲には複数の突起部が形成されているため、請求項１に記載の考案の効果に加え、より確実に開口部を保持枠に装着することができる。
（３）請求項３に記載の土のう作成具は、操作ペダル復帰時におけるにおける保持枠の接地面に対する角度は側面視で７０〜８０度であるため、土のう袋に土砂を横方向から投入可能となり、請求項１又は２に記載の考案の効果に加え、投入の際の労力を軽減することができる。
（４）請求項４に記載の土のう作成具は、請求項１乃至３のうちのいずれか１項に記載の効果に加え、折りたたみ可能であるため、不使用時においては、コンパクトに収納をすることができる。
【図面の簡単な説明】
【０００９】
【図１】本考案の実施形態１に係る土のう作成具の斜視図である。
【図２】本考案の実施形態に係る土のう作成具の動作を示す説明図である。
【図３】本考案の実施形態に係る保持枠の動作を示す説明図である。
【図４】本考案の実施形態に係る土のう作成具に土のう袋を取り付ける動作を示す説明図である。
【図５】本考案の実施形態２に係る土のう作成具の斜視図である。
【図６】本考案の実施形態２に係る土のう作成具の折りたたんだ状態を示す斜視図である。
【考案を実施するための形態】
【００１０】
以下、本考案の実施形態を示す図１〜６を参照しながら本考案を詳しく説明する。
尚、本考案は、かかる図に記載された具体例に示すものに限られず、目的、用途に応じて種々変更したものとすることができる。
【００１１】
[実施形態１]
実施形態１に係る土のう作成具１は、本考案を具体化している。
土のう作成具１は、図１に示すように、土のう袋８０の開口部を保持する保持枠１０と、台座部２０と、保持枠１０を台座部２０上に立設支持する支持部材３０とを備えている。
台座部２０は、前側台座部２１と後側台座部２２とからなり、それぞれが一対の接続棒２５により接続されている。
支持部材３０は保持枠１０を台座部２０上に立設支持する部材である。そして、副支持部材３１が後側台座部２２に架設されて、保持枠１０を安定支持している。台座部２０の下部には、砂地等の不安定な場所にも安定して設置できるように、脚部材を備えることが好ましい。前側台座部２１の下部には一対の脚部材２７、後側台座部２２の下部には、一本の脚部材（不図示）を備えている。
【００１２】
保持枠１０は、支持部材３０に固着した固定保持枠１５と、固定保持枠１５の上部両端に回動可能に軸支された回動保持枠１１とからなる。
保持枠周囲には土のう袋の開口部を係止しやすくするため、複数の突起部が形成されていることが好ましい。保持枠１０のように、突起部１１ａ、１５ａを備えることができる。
図２に示すように、回動保持枠１１の一端から下方に延出した作動片１１ｂの端部が、作動棒４０の上端部に固着された支持片４０ａに回動軸支されている。
作動棒４０は、下方へ延設されて、下端部には連結片４２が固着されている。
更に作動棒４０には付勢ばね掛板４１が固着され、支持部材３０に固着された付勢ばね掛板３１との間に付勢ばね（付勢手段）５０が掛止取着されている。
操作ペダル６０は、支持板６１に揺動軸支され、支持片４２を上下動可能に軸支している。
【００１３】
図２に示すように、踏掛部６０ａを踏み込むと、付勢ばね５０に抗して、作動棒４０が上方へ移動する。そうすると、回動保持枠１１に接続した作動片１１ｂが、回動保持枠１１と固定保持枠１５との連結軸１０ａを中心として上方へ回動し、回動保持枠１１は後方へ回動して折れ曲がる。
【００１４】
踏掛部６０ａから足を離して操作ペダル６０を復帰すると、付勢ばね５０の引張力により、作動棒４０が下方へ移動する。そうすると、回動保持枠１１に接続した作動片１１ｂが、回動保持枠１１と固定保持枠１５との連結軸１０ａを中心として回動し、回動保持枠１１は前方へ回動して固定保持枠１１に対して直立して、略矩形状の保持枠１０を形成維持することができる。
【００１５】
すなわち、図３に示すように、操作ペダル解除時（復帰時）においては、回動保持枠１１は、固定保持枠１５に対して直立する。そして、回動保持枠上端の突起部１１ａから、固定保持枠１５の突起部１５ａまでの距離Ａを保持する。
一方、操作ペダル踏込時においては、回動保持枠１１が連結軸１０ａを中心に回動して、固定保持枠１５に対して折れ曲がる。
そして、回動保持枠上端の突起部１１ａから、固定保持枠１５の突起部１５ａまでの距離Ｂを保持する。すなわち、距離Ａより短い距離Ｂを確保することで、図４に示すように、保持枠１０へ土のう袋８０の開口部が着脱しやすくなる。更に、土のう袋への土のう投入時においては、図１に示すように、操作ペダル６０を復帰することにより、略矩形状の保持枠１０を形成維持するため、土のう袋８０の開口部が保持枠１０に張架されて確実に固定されると共に、開口部を大きく維持でき、土砂の投入が容易となる。
【００１６】
なお、図３に示すように、操作ペダル踏込時における、回動保持枠１１と固定保持枠１５とのなす角度αは、図３に示すように略９０度であってもよいが、保持枠１０へ土のう袋８０の開口部が着脱しやすければ特に限定はない。
更に、操作ペダル復帰時における保持枠１０の接地面に対する角度も特に限定はないが、側面視で７０〜８０度であることが好ましい。こうすることで、土砂を横方向から投入することができるため、上部からの投入に比べて、スコップ等で土砂を持ち上げる高さが低くなり、土のう作成の労力が更に軽減される。この角度は、支持部材３０の固定保持枠１５への取付け際の折り曲げの角度βを変更することによって行うことができる。
【００１７】
[実施形態２]
実施形態２に係る土のう作成具２も、本考案を具体化している。
実施形態２に係る土のう作成具２は、図５に示すように、台座部２０が、前側台座部２１と前側台座部２１の後端部に回動軸支された接続棒２６に連結固着した後側台座部２２とからなる。
前側台座部２１の後端には一対の軸受け部２１ａが固着され、軸受け部２１ａに、その近傍において屈曲した接続棒２６が、回動自在に挿着され、後端が後側台座部２２の下部に固着されている。
後側台座部２２下部には、脚部材２８及び後側台座部２２に係止部材２９が固着されており、係止部材２９には鉤部２９ａが凹設されている。
可動支持部材７０は、支持部材３０間に架設した横棒３２に、可動支持部材７０に接続固定した連結部７１が回動自在に連結され、可動支持部材７０先端に形成された係止端７０ａが鉤部２９ａに係止固定されている。なお、連結部材７１の横棒３２方向への移動を禁止するための一対の鍔部材３２ａが横棒３２に固着されている。
【００１８】
そして、不使用時においては、係止端７０ａを鉤部２９ａから取り外し、図６に示すように、後側台座部２２を前方に回動して折りたたむ。更にその脚部材２８に回動軸支されている湾曲した係止片２８で連結部７１に係止する。こうすることで、コンパクトに折りたたみ固定して収納できる。なお、可動支持部材７０が、支持棒としての役割を果たして、前側台座部２２の脚部材２８と共に、土のう作成具２を立設した状態にして収納することができる。
【００１９】
土のう作成具２のその他の構成及び作用効果は、実施形態１に係る土のう作成具１と同様であるため、その説明を省略する。
【符号の説明】
【００２０】
１、２・・・・・・土のう作成具
１０・・・・・・・保持枠
１１・・・・・・・回動保持枠
１１ａ、１５ａ・・突起部
１１ｂ・・・・・・作動片
１５・・・・・・・固定保持枠
２０・・・・・・・台座部
２１・・・・・・・前側台座部
２２・・・・・・・後側台座部
２９ａ・・・・・・鉤部
３０・・・・・・・支持部材
３２・・・・・・・横棒
４０・・・・・・・作動棒
５０・・・・・・・付勢手段
６０・・・・・・・操作ペダル
７０・・・・・・・可動支持部材
８０・・・・・・・土のう袋
【図１】
0003178222.tif 000003
【図２】
0003178222.tif 000004
【図３】
0003178222.tif 000005
【図４】
0003178222.tif 000006
【図５】
0003178222.tif 000007
【図６】
0003178222.tif 000008